(57)【要約】【課題】継手の接続状態の確認を容易にすること。【解決手段】本開示の管継手１０は、オス継手１１と、オス継手１１に嵌合可能なメス継手２１と、メス継手２１の外周面に形成された装着溝２５に装着されるＣ字状のロック部材４０と、を有する。装着溝２５の溝底面には、メス継手２１の内側の空間に連絡する複数の差込孔２６が形成され、ロック部材４０には、複数の差込孔２６に差し込まれて、オス継手１１の外周面に形成された第２環状溝１３に係止する複数の係止突部４１が備えられている。メス継手２１の外周面には、装着溝２５からメス継手２１の軸方向の一方側に延びた複数の係止突部案内溝３１と、複数の係止突部案内溝３１の装着溝２５から離れた端部からメス継手２１の周方向の一方側に延びた係止突部受容溝３２と、が設けられている。【選択図】図９
2020020419.tif 000002
【特許請求の範囲】
【請求項１】
外周面に環状溝を有するオス継手と、
前記オス継手に嵌合可能なメス継手と、
前記メス継手の外周面に形成された装着溝に装着されるＣリング状のロック部材と、を有し、
前記装着溝の溝底面には、前記メス継手の内側の空間に連絡する複数の差込孔が形成され、
前記ロック部材には、前記複数の差込孔に差し込まれて、前記オス継手の前記環状溝に係止する複数の係止突部が備えられている、管継手において、
前記メス継手の外周面には、
前記装着溝から前記メス継手の軸方向の一方側に延びた複数の係止突部案内溝と、
前記複数の係止突部案内溝の前記装着溝から離れた端部から前記メス継手の周方向の一方側に延び、前記ロック部材が前記装着溝に対して前記メス継手の軸方向の一方側にずれて配置されたときに前記複数の係止突部を受容する複数の係止突部受容溝と、が設けられている、管継手。
【請求項２】
前記係止突部案内溝の溝底面のうち前記装着溝に臨む端部には、前記装着溝へ近づくにつれて前記係止突部案内溝を浅くするように迫り上がる迫上部が形成されている、請求項１に記載の管継手。
【請求項３】
前記複数の差込孔のそれぞれは、前記メス継手の軸方向に前記係止突部案内溝を延長した帯状領域の全体と重ならないように配置されている、請求項１又は２に記載の管継手。
【請求項４】
前記複数の差込孔のうち一の差込孔は、前記メス継手の軸方向に前記係止突部案内溝を延長した帯状領域の全体と重なるように配置されている、請求項１又は２に記載の管継手。
【請求項５】
前記複数の係止突部には、前記ロック部材の両端部から前記ロック部材の内方へ向かって突出する１対の係止爪が含まれていて、
前記差込孔には、前記１対の係止爪が差し込まれる爪差込孔が含まれる、請求項１乃至４のうち何れか１項に記載の管継手。
【請求項６】
前記１対の係止爪のうち一方の係止爪は、前記ロック部材の内方へ向かって突出すると共に他方の係止爪より長くなった内向き部と、前記内向き部の先端から前記ロック部材の周方向で前記他方の係止爪へ接近するように延びる接近部と、を有するフック形状に形成されている、請求項５に記載の管継手。
【請求項７】
前記複数の差込孔は、前記継手筒部の周方向で等間隔に配置されている、請求項５又は６に記載の管継手。
【請求項８】
前記ロック部材は、線材の曲げ加工品であって、
前記係止突部には、前記ロック部材の中間部に配置され、前記線材を前記ロック部材の内側へ突出するようにコの字状又はＵ字状に折り曲げて形成された中間突部が含まれていて、
前記中間突部には、前記メス継手の径方向に直線状に延びて前記差込孔の内面と前記メス継手の周方向で対向する対向直線部が設けられている、請求項１乃至７のうち何れか１項に記載の管継手。
【発明の詳細な説明】
【技術分野】
【０００１】
本開示は、メス継手にＣリング状のロック部材を外側から装着することで、メス継手の内側に挿入されるオス継手がメス継手に接続される管継手に関する。
【背景技術】
【０００２】
特許文献１に開示の管継手では、メス継手の外周面に形成された装着溝にロック部材が装着されると、ロック部材において内側に突出する屈曲部が装着溝の溝底面に形成されたスリットを通ってメス継手の内側に突入する。そして、メス継手の内側にオス継手が挿入されると、そのオス継手によってロック部材が拡径され、ロック部材の屈曲部がオス継手の外周面に形成された環状溝に落ち込んでロック部材が縮径されると、オス継手とメス継手が接続状態になると共に、接続状態にロックされる。
【先行技術文献】
【特許文献】
【０００３】
【特許文献１】特開２０１７−２０７１７０号公報（段落［００５６］〜［００５８］、図１，２）
【発明の概要】
【発明が解決しようとする課題】
【０００４】
特許文献１の継手では、オス継手の挿入が浅くてオス継手とメス継手が未接続状態になっていると、ロック部材が拡径されたままとなるので、オス継手とメス継手が接続状態にロックされていないことを外部から判断できる。しかしながら、オス継手の挿入が更に浅い場合には、ロック部材が拡径することなく縮径状態に保持されるため、ロック部材の拡縮状態だけでは、オス継手とメス継手が未接続状態であるのか、オス継手とメス継手が接続状態でロックされているのかを区別することが困難であった。このため、特許文献１の管継手では、オス継手とメス継手の接続状態を容易に確認できることが求められている。
【課題を解決するための手段】
【０００５】
上記課題を解決するためになされた請求項１の発明は、外周面に環状溝を有するオス継手と、前記オス継手に嵌合可能なメス継手と、前記メス継手の外周面に形成された装着溝に装着されるＣリング状のロック部材と、を有し、前記装着溝の溝底面には、前記メス継手の内側の空間に連絡する複数の差込孔が形成され、前記ロック部材には、前記複数の差込孔に差し込まれて、前記オス継手の前記環状溝に係止する複数の係止突部が備えられている、管継手において、前記メス継手の外周面には、前記装着溝から前記メス継手の軸方向の一方側に延びた複数の係止突部案内溝と、前記複数の係止突部案内溝の前記装着溝から離れた端部から前記メス継手の周方向の一方側に延び、前記ロック部材が前記装着溝に対して前記メス継手の軸方向の一方側にずれて配置されたときに前記複数の係止突部を受容する複数の係止突部受容溝と、が設けられている、管継手である。
【０００６】
請求項２の発明は、前記係止突部案内溝の溝底面のうち前記装着溝に臨む端部には、前記装着溝へ近づくにつれて前記係止突部案内溝を浅くするように迫り上がる迫上部が形成されている、請求項１に記載の管継手である。
【０００７】
請求項３の発明は、前記複数の差込孔のそれぞれは、前記メス継手の軸方向に前記係止突部案内溝を延長した帯状領域の全体と重ならないように配置されている、請求項１又は２に記載の管継手である。
【０００８】
請求項４の発明は、前記複数の差込孔のうち一の差込孔は、前記メス継手の軸方向に前記係止突部案内溝を延長した帯状領域の全体と重なるように配置されている、請求項１又は２に記載の管継手である。
【０００９】
請求項５の発明は、前記複数の係止突部には、前記ロック部材の両端部から前記ロック部材の内方へ向かって突出する１対の係止爪が含まれていて、前記差込孔には、前記１対の係止爪が差し込まれる爪差込孔が含まれる、請求項１乃至４のうち何れか１項に記載の管継手である。
【００１０】
請求項６の発明は、前記１対の係止爪のうち一方の係止爪は、前記ロック部材の内方へ向かって突出すると共に他方の係止爪より長くなった内向き部と、前記内向き部の先端から前記ロック部材の周方向で前記他方の係止爪へ接近するように延びる接近部と、を有するフック形状に形成されている、請求項５に記載の管継手である。
【００１１】
請求項７の発明は、前記複数の差込孔は、前記継手筒部の周方向で等間隔に配置されている、請求項５又は６に記載の管継手である。
【００１２】
請求項８の発明は、前記ロック部材は、線材の曲げ加工品であって、前記係止突部には、前記ロック部材の中間部に配置され、前記線材を前記ロック部材の内側へ突出するようにコの字状又はＵ字状に折り曲げて形成された中間突部が含まれていて、前記中間突部には、前記メス継手の径方向に直線状に延びて前記差込孔の内面と前記メス継手の周方向で対向する対向直線部が設けられている、請求項１乃至７のうち何れか１項に記載の管継手である。
【発明の効果】
【００１３】
請求項１の発明では、ロック部材を装着溝に対してメス継手の軸方向にずらして、係止突部を係止突部受容溝に受容させることで、ロック部材をメス継手に仮装着することが可能となる。ロック部材がメス継手に仮装着された状態で、係止突部を係止突部案内溝に受容させて係止突部案内溝に沿って移動させると、その係止突部は、装着溝に受容される。そして、係止突部が装着溝の溝底面に形成された差込孔に差し込まれると、ロック部材がメス継手に本装着される。オス継手とメス継手が接続状態のときにロック部材が本装着されると、係止突部がメス継手の内側に挿入されたオス継手の環状溝に係止する。ここで、オス継手とメス継手が未接続状態であったり、接続状態であってもその接続状態にロックされていないときには、ロック部材がメス継手に仮装着され、係止突部がメス継手の内側に突入せず、ロック部材は拡径された状態となる。一方、オス継手とメス継手が接続状態にロックされているときには、ロック部材がメス継手に本装着され、係止突部が差込孔を通ってオス継手の環状溝に係止し、ロック部材は縮径された状態となる。このように、請求項１の発明では、オス継手とメス継手が未接続状態であったり、接続状態であってもその接続状態にロックされていないときには、ロック部材が拡径され、オス継手とメス継手が接続状態にロックされたときに、ロック部材が縮径されるので、オス継手とメス継手の接続状態を容易に確認することが可能となる。
【００１４】
しかも、請求項１の発明では、ロック部材がメス継手に仮装着された状態で係止突部が係止突部受容溝に受容されると、ロック部材にメス継手の軸方向で装着溝に近づける外力がかかっても、ロック部材が装着溝へ移動することが規制される。これにより、ロック部材がメス継手に仮装着された状態でロック部材が誤って装着溝に受容されることが抑制される。
【００１５】
請求項２の発明では、ロック部材の係止突部を係止突部案内溝に沿って移動させるときに、係止突部が迫上部を乗り越え難くなっているので、係止突部が誤って装着溝に受容されることが抑制される。
【００１６】
請求項３の発明では、複数の係止突部が係止突部案内溝に沿って移動して装着溝に受容されても、何れの係止突部も差込孔に差し込まれない。係止突部を差込孔に差し込むには、複数の係止突部を装着溝に受容させた後、複数の係止突部を装着溝内でメス継手の周方向に移動させる必要があるので、係止突部が誤って差込孔に差し込まれることが抑制される。
【００１７】
請求項４の発明では、複数の係止突部が係止突部案内溝に沿って移動して装着溝に受容されると、複数の係止突部のうち一の係止突部が差込孔に差し込まれるので、その一の係止突部を基準にして残りの係止突部を差込孔に差し込み易くなる。
【００１８】
請求項５の発明では、ロック部材の両端部に設けられた係止爪が装着溝の溝底面に形成された差込孔に差し込まれることで、ロック部材が拡径され難くなり、装着溝に装着されたロック部材の脱落が抑制される。
【００１９】
請求項６の発明では、１対の係止爪を爪差込孔から外す際に、一方の係止爪から先に外すと、その一方の係止爪の接近部が他方の係止爪と干渉するが、他方の係止爪から先に外すと、その他方の係止爪は、一方の係止爪と干渉しない。このように、請求項６の発明では、１対の係止爪を爪差込孔から外す際には、他方の係止爪から先に外すことが必要となり、装着溝に装着されたロック部材を誤って外すことが抑制される。
【００２０】
請求項７の発明では、オス継手がメス継手に接続された状態で、複数の係止突部がオス継手の環状溝に受容されてオス継手の抜け止めを規制する。ここで、複数の係止突部が差し込まれる複数の差込孔は、メス継手の周方向で等間隔に配置されるので、オス継手の抜け止めに要する負荷を、複数の係止突部に均等に分散させることが可能となる。
【００２１】
請求項８の発明では、中間突部に設けられた対向直線部が差込孔の内面とメス継手の周方向で対向するので、中間突部が差込孔でメス継手の周方向に移動することが抑制される。その結果、中間突部が差込孔から外れ難くなり、装着溝に装着されたロック部材の脱落が抑制される。
【図面の簡単な説明】
【００２２】
【図１】（Ａ）第１実施形態に係る管継手により接続された第１配管と第２配管の側面図、（Ｂ）管継手の側面図
【図２】オス継手の（Ａ）斜視図、（Ｂ）一部破断側面図
【図３】メス継手の（Ａ）斜視図、（Ｂ）一部破断側面図
【図４】メス継手における係止突部案内溝周辺の側断面図
【図５】メス継手の（Ａ）Ａ−Ａ断面図、（Ｂ）Ｂ−Ｂ断面図
【図６】Ａ−Ａ切断面で切断されたメス継手の（Ａ）斜視図、（Ｂ）平面図
【図７】ロック部材の平面図
【図８】メス継手に仮装着されたロック部材の（Ａ）斜視図、（Ｂ）平面図
【図９】メス継手に本装着されたロック部材の（Ａ）斜視図、（Ｂ）Ｃ−Ｃ断面図
【図１０】オス継手とメス継手が接続されたときの（Ａ）差込孔を通る面で切断した側断面図、（Ｂ）差込孔を通らない面で切断した側断面図
【図１１】第２実施形態に係るメス継手をＡ−Ａ切断面で切断したときの（Ａ）斜視図、（Ｂ）平面図
【図１２】オス継手とメス継手が接続されたときのロック部材の平断面図
【発明を実施するための形態】
【００２３】
［第１実施形態］
図１（Ａ）及び図１（Ｂ）に示されるように、本実施形態に係る管継手１０は、第１配管７１と第２配管７２を接続するためのものであって、第１配管７１の末端に取り付けられるオス継手１１と、第２配管７２の末端に取り付けられるメス継手２１と、メス継手２１に装着されるロック部材４０と、を備える。本実施形態では、第１配管７１は、スプリンクラーヘッド７４に水を供給するための給水管になっていて、第２配管７２は、スプリンクラーヘッド７４に接続される樹脂管７３が複数接続されるヘッダーになっている。なお、第１配管７１は金属で構成され、第２配管７２は樹脂で構成されている。
【００２４】
図２（Ａ）及び図２（Ｂ）に示されるように、オス継手１１は、直筒状に形成されている。オス継手１１のうち第１配管７１に臨む基端部の内周面には、第１配管７１の末端部の外周面に形成された図示しない雄螺子部と螺合する雌螺子部１１Ｎが形成されている（図２（Ｂ）参照）。また、オス継手１１の先端部の外周面には、第１環状溝１２と第２環状溝１３が形成されている。第１環状溝１２は、オス継手１１の外周面に図示しないＯリングを装着するためのものであって、第２環状溝１３よりも先端側に配置されている。
【００２５】
図３（Ａ）及び図３（Ｂ）に示されるように、メス継手２１は、大径筒部２２と、大径筒部２２より小径な小径筒部２３と、が段差部２４を介して連絡された構造になっている。大径筒部２２は、直筒状に形成されてメス継手２１の先端部を構成し、大径筒部２２の内径はオス継手１１の外径より大きくなっている。小径筒部２３は、直筒状に形成されてメス継手２１の基端部を構成し、小径筒部２３の内径は、オス継手１１の内径と略同じ大きさになっている。そして、大径筒部２２の内側にオス継手１１の先端部が挿入されると、オス継手１１の先端が段差部２４に突き当てられる（図１０（Ａ）及び図１０（Ｂ）参照）。このとき、大径筒部２２がオス継手１１に外側から嵌合し、小径筒部２３の内側部分がオス継手１１の内側部分に連絡される。
【００２６】
大径筒部２２の外周面には、装着溝２５が形成されている。装着溝２５は、大径筒部２２の全周に亘る環状に形成されている。
【００２７】
図５（Ａ）に示されるように、装着溝２５の溝底面（即ち、装着溝２５の内面のうち大径筒部２２の径方向で外方を向く面）には、大径筒部２２の内側の空間に連絡する複数の差込孔２６が形成されている。複数の差込孔２６は、大径筒部２２の周方向で等間隔に配置されている。なお、差込孔２６は、装着溝２５の延在方向に長くなった長方形状に形成されている（図３（Ａ）参照）。
【００２８】
図３（Ａ）及び図３（Ｂ）に示されるように、大径筒部２２の外周面には、装着溝２５とは別に、複数の仮装着溝３０が形成されている。仮装着溝３０は、装着溝２５からメス継手２１の基端側に延びた複数の係止突部案内溝３１と、複数の係止突部案内溝３１のうち装着溝２５から離れた端部からメス継手２１の周方向の一方側に延びた係止突部受容溝３２と、からなる。そして、装着溝２５と係止突部受容溝３２との間に、区画壁３３が形成されている（図３（Ａ）参照）。
【００２９】
図４に示されるように、係止突部案内溝３１の溝底面は、装着溝２５の溝底面よりもメス継手２１の径方向外側に配置されている。そして、係止突部案内溝３１の溝底面のうち装着溝２５に臨む端部には、装着溝２５へ近づくにつれてメス継手２１の径方向外側へ向かうように迫り上がる（即ち、係止突部案内溝３１を浅くするように迫り上がる）迫上部３１Ｓが形成されている。
【００３０】
図５（Ｂ）に示されるように、本実施形態では、仮装着溝３０には、中間突部装着用溝３０Ａと係止爪装着用溝３０Ｂの２種類が存在する。係止爪装着用溝３０Ｂの係止突部案内溝３１は、中間突部装着用溝３０Ｂの係止突部案内溝３１よりもメス継手２０の周方向の幅が狭くなっている。
【００３１】
本実施形態では、中間突部装着用溝３０Ａが３つ備えられ、係止爪装着用溝３０Ｂが２つ備えられている。２つの係止爪装着用溝３０Ｂは、メス継手２１の周方向で隣り合って配置されている。なお、以下では、中間突部装着用溝３０Ａの係止突部案内溝３１と係止爪装着用溝３０Ｂの係止突部案内溝３１を、中間突部案内溝３１Ａと係止爪案内溝３１Ｂと称して適宜区別し、中間突部装着用溝３０Ａの係止突部受容溝３２と係止爪装着用溝３０Ｂの係止突部受容溝３２を、中間突部受容溝３２Ａと係止爪受容溝３２Ｂと称して適宜区別することにする。
【００３２】
図６（Ａ）及び図６（Ｂ）に示されるように、複数の差込孔２６のそれぞれは、メス継手２１の軸方向に係止突部案内溝３１を延長した帯状領域Ｒ１の全体と重ならないように配置されている。詳細には、中間突部案内溝３１Ａを延長した帯状領域Ｒ１は、メス継手２１の径方向から見て、メス継手２１の周方向で隣り合う２つの差込孔２６に挟まれた壁部２７に重ねられる。また、係止爪案内溝３１Ｂを延長した帯状領域Ｒ１は、メス継手２１の径方向から見て、壁部２７のうち差込孔２６に臨む端縁を跨ぐように配置され、該帯状領域Ｒ１の幅方向の略半分は、壁部２７に重ねられている。
【００３３】
図７に示されるように、ロック部材４０は、周方向の１箇所に開口４０Ａを有するＣリング状に形成されている。ロック部材４０は、ロック部材４０の内方に向かって突出する複数の係止突部４１を有している。
【００３４】
複数の係止突部４１は、ロック部材４０のうち開口４０Ａを挟む両端部から突出した第１係止爪４２及び第２係止爪４３と、ロック部材４０の中間部から突出する複数の中間突部４５と、からなる。なお、本実施形態では、ロック部材４０の周方向における開口４０Ａの長さは、中間突部４５の周方向における長さ以下になっていて、複数の係止突部４１とロック部材４０の開口４０Ａとは、ロック部材４０の周方向で等間隔（即ち、９０度間隔）に配置されている。
【００３５】
本実施形態では、ロック部材４０は、線材の曲げ加工品であって、中間突部４５は、線材をコの字状又はＵ字状に折り曲げて形成されている。そして、中間突部４５は、ロック部材４０の径方向に沿って延在しロック部材４０の周方向で対向する１対の対向直線部４５Ａ，４５Ａと、１対の対向直線部４５Ａ，４５Ａを連絡する架橋部４５Ｂと、を備えている。
【００３６】
第１係止爪４２は、ロック部材４０の径方向に延びている。なお、第１係止爪４２の先端部（ロック部材４０の中心に近い端部）は、先細り形状に形成されている。
【００３７】
第２係止爪４３は、ロック部材４０の径方向に延びる内向き部４３Ａと、内向き部４３Ａの先端部（ロック部材４０の中心に近い端部）からロック部材４０の周方向で第１係止爪４２へ近づくように延びる接近部４３Ｂと、からなるフック形状に形成されている。内向き部４３Ａは、第１係止爪４２より長くなっていて、接近部４３Ｂは、第１係止爪４２の延長線上に配置される。なお、接近部４３Ｂの先端部（内向き部４３Ａから離れた端部）は、先細り形状に形成されている。
【００３８】
ロック部材４０は、メス継手２１に外側から嵌合することで、メス継手２１に装着される。ロック部材４０の装着状態には、図８（Ａ）及び図８（Ｂ）に示される仮装着状態と、図９（Ａ）及び図９（Ｂ）に示される本装着状態とがある。
【００３９】
図８（Ａ）に示されるように、仮装着状態では、ロック部材４０は、装着溝２５に対してメス継手２１の基端側に配置され、複数の係止突部４１は、メス継手２１の仮装着溝３０に受容されている。具体的には、第１係止爪４２と第２係止爪４３が係止爪装着用溝３０Ｂに受容され、中間突部４５が中間突部装着用溝３０Ａに受容されている。図８（Ｂ）に示されるように、仮装着状態では、ロック部材４０は、開口４０Ａを広げるように拡径されている。
【００４０】
ロック部材４０が仮装着状態のとき、係止突部４１は、仮装着溝３０の係止突部受容溝３２に受容される。仮装着状態では、ロック部材４０にメス継手２１の先端側へ移動させる負荷がかかっても、複数の係止突部４１は区画壁３３（図３（Ａ）及び図３（Ｂ））によって装着溝２５へ向かうことが規制される。即ち、仮装着状態では、係止突部４１は、メス継手２１の軸方向の移動が規制される一方、係止突部受容溝３２に沿ったメス継手２１の周方向の他方側（係止突部案内溝３１から係止突部受容溝３２が延びる方向と逆側）への移動は許容されている。
【００４１】
図９（Ａ）及び図９（Ｂ）に示されるように、本装着状態では、ロック部材４０は、装着溝２５に受容され、複数の係止突部４１は、差込孔２６を貫通して、メス継手２１（詳細には、大径筒部２２）の内側に突入している。
【００４２】
ロック部材４０を仮装着状態から本装着状態に移行させるには、まず、図８（Ａ）において１番の符号が付された矢印に示されるように、ロック部材４０をメス継手２１の周方向の他方側に回転させる。すると、複数の係止突部４１が仮装着溝３０の係止突部受容溝３２から係止突部案内溝３１に進入する（図６（Ａ）参照）。
【００４３】
次いで、同図において２番の符号が付された矢印に示されるように、ロック部材４０をメス継手２１の先端側へ移動させる。すると、複数の係止突部４１が係止突部案内溝３１に沿って移動し、装着溝２５に受容される（図６（Ａ）参照）。ここで、係止突部案内溝３１の溝底面には、装着溝２５へ近づくにつれて係止突部案内溝３１を浅くする迫上部３１Ｓが形成されているので、係止突部４１は、迫上部３１Ｓを乗り越えて装着溝２５へ受容される。本実施形態では、係止突部案内溝３１の溝底面に迫上部３１Ｓを備えたことで、ロック部材４０をメス継手２１の先端側へ移動させる操作を行う前に、係止突部４１が装着溝２５に受容されることが抑制されている。
【００４４】
本実施形態では、複数の差込孔２６のそれぞれが、メス継手２１の軸方向に係止突部案内溝３１を延長した帯状領域Ｒ１の全体と重ならないように配置されているので、装着溝２５に受容された複数の係止突部４１は、何れも差込孔２６から外れて配置される。従って、複数の係止突部４１が装着溝２５に受容されたら、ロック部材４０をメス継手２１の周方向に回転させて、複数の係止突部４１を複数の差込孔２６に差し込む。これにより、ロック部材４０が本装着状態となる。なお、図８（Ｂ）から図９（Ｂ）への変化に示されるように、ロック部材４０は、仮装着状態から本装着状態になると、開口４０Ａを狭めるように縮径される。
【００４５】
ここで、複数の係止突部４１を複数の差込孔２６に差し込む際には、まず、第２係止爪４３を差し込み、次いで、複数の中間突部４５を第２係止爪４３に近いものから順番に差し込み、最後に、第１係止爪４２を、第２係止爪４３が差し込まれている差込孔２６に差し込むことが好ましい。このような順番で複数の係止突部４１を複数の差込孔２６に差し込むことで、ロック部材４０にかかる負荷を低減できると共に、複数の係止突部４１の差し込みをスムーズに行うことができる。また、複数の係止突部４１が装着溝２５に受容された状態で、ロック部材４０は、複数の係止突部４１を係止突部受容溝３２から係止突部案内溝３１に受容させるときと逆方向（即ち、図８（Ａ）における１番の矢印と逆方向）に回転させることが好ましい。
【００４６】
上述した順番で複数の係止突部４１が複数の差込孔２６に差し込まれるには、［Ａ］第２係止爪４３が受容される係止爪装着用溝３０Ｂの係止爪案内溝３１Ｂから差込孔２６までの距離が、第１係止爪４２が受容される係止爪装着用溝３０Ｂの係止爪案内溝３１Ｂから差込孔２６までの距離よりも短く、かつ、中間突部装着用溝３０Ａの中間突部案内溝３１Ａから差込孔２６までの距離よりも短くなっていること、及び、［Ｂ］第２係止爪４３が差し込まれる差込孔２６が、第２係止爪４３が受容される係止爪装着用溝３０Ｂの係止爪案内溝３１Ｂに対してメス継手２１の周方向で該係止爪装着用溝３０Ｂの係止爪受容溝３２Ｂと同じ側に配置されていること、を満たせばよい。これら［Ａ］、［Ｂ］を満たすことで、複数の係止突部４１が装着溝２５に受容された状態からロック部材４０を図８（Ａ）の１番の矢印と逆方向に回転させて、第２係止爪４３を最初に差込孔２６に差し込むことが可能となる。
【００４７】
本装着状態のロック部材４０を装着溝２５から外すには、まず、第１係止爪４２を差込孔２６から外し、次いで、複数の中間突部４５を第１係止爪４２に近いものから順番に差込孔２６から外し、最後に、第２係止爪４３を差込孔２６から外す。ここで、最初に第２係止爪４３を差込孔２６から外そうとしても、第２係止爪４３の接近部４３Ｂが第１係止爪４２と干渉し、第２係止爪４３が差込孔２６から外れ難くなっている。また、最初に中間突部４５を差込孔２６から外そうとしても、中間突部４５の１対の対向直線部４５Ａは、差込孔２６の内面に近接配置され、その差込孔２６の内面とメス継手２１の周方向で対向しているので、中間突部４５が差込孔２６から外れ難くなっている。このように、本実施形態では、ロック部材４０を装着溝２５から外す場合に、決められた手順で複数の係止突部４１を複数の差込孔２６から外すことが必要となるので、誤操作等によってロック部材４０が装着溝２５から外れることが抑制される。
【００４８】
本実施形態の管継手１０では、オス継手１１とメス継手２１がロック部材４０によって接続状態にロックされる。オス継手１１とメス継手２１を接続状態にするには、まず、ロック部材４０を仮装着状態にして、メス継手２１の大径筒部２２にオス継手１１の先端部を挿入する（図８（Ａ）参照）。この接続状態では、オス継手１１の先端がメス継手２１の段差部２４に突き当てられ、オス継手１１の第２環状溝１３の外側にメス継手２１の装着溝２５が配置される。
【００４９】
オス継手１１とメス継手２１を接続状態にロックするには、上述した手順によって、ロック部材４０を仮装着状態から本装着状態にする。すると、ロック部材４０の複数の係止突部４１が差込孔２６を貫通してオス継手１１の第２環状溝１３内に突入する。これにより、オス継手１１がメス継手２１に対して抜け止めされ、オス継手１１とメス継手２１が接続状態にロックされる。
【００５０】
このように、本実施形態の管継手１０では、ロック部材４０を装着溝２５に対してメス継手２１の軸方向にずらして、係止突部４１を係止突部受容溝３２に受容させることで、ロック部材４０をメス継手２１に仮装着することが可能となる。仮装着状態でロック部材４０の係止突部４１を係止突部案内溝３１に受容させて係止突部案内溝３１に沿って移動させると、その係止突部４１は、装着溝２５に受容される。そして、係止突部４１が装着溝２５の溝底面に形成された差込孔２６に差し込まれると、ロック部材４０がメス継手２１に本装着される。オス継手１１とメス継手２１が接続状態のときにロック部材４０が本装着されると、係止突部４１は、メス継手２１の内側に挿入されたオス継手１１の第２環状溝１３に係止する。ここで、オス継手１１とメス継手２１が未接続状態であったり、接続状態であってもその接続状態にロックされていないときには、ロック部材４０がメス継手２１に仮装着され、係止突部４１がメス継手２１の内側に突入せず、ロック部材４０は拡径された状態となる。一方、オス継手１１とメス継手２１が接続状態にロックされているときには、ロック部材４０がメス継手２１に本装着され、係止突部４１が差込孔２６に差し込まれてオス継手１１の第２環状溝１３に係止し、ロック部材４０は縮径された状態となる。このように、管継手１０では、オス継手１１とメス継手２１が未接続状態であったり、接続状態であってもその接続状態にロックされていないときには、ロック部材４０が拡径され、オス継手１１とメス継手２１が接続状態にロックされているときに、ロック部材４０が縮径されるので、オス継手１１とメス継手２１の接続状態を容易に確認することが可能となる。
【００５１】
しかも、本実施形態の管継手１０では、ロック部材４０がメス継手２１に仮装着された状態で係止突部４１が係止突部受容溝３２に受容されていると、ロック部材４０にメス継手２１の軸方向で装着溝２５に近づける外力がかかっても、区画壁３３によってロック部材４０が装着溝２５へ移動することが規制される。これにより、ロック部材４０がメス継手２１に仮装着された状態でロック部材４０が誤って装着溝２５に受容されることが抑制される。
【００５２】
また、本実施形態の管継手１０では、複数の係止突部４１が係止突部案内溝３１に沿って移動して装着溝２５に受容されても、何れの係止突部４１も差込孔２６に差し込まれることがない。係止突部４１を差込孔２６に差し込むには、係止突部４１を装着溝２５に受容させた後、係止突部４１を装着溝２５内でメス継手２１の周方向に移動させる必要があるので、係止突部４１が誤って差込孔２６に差し込まれることが抑制される。
【００５３】
なお、本実施形態では、第２環状溝１３が、特許請求の範囲に記載された「環状溝」に相当する。また、第１係止爪４２及び第２係止爪４３が、特許請求の範囲に記載された「１対の係止爪」に相当し、第２係止爪４３が「一方の係止爪」に相当する。また、第１係止爪４２及び第２係止爪４３が差し込まれる差込孔２６が「爪差込孔」に相当する。
【００５４】
［第２実施形態］
本実施形態では、メス継手２１における複数の仮装着溝３０と複数の差込孔２６の位置関係が上記第１実施形態と異なっている。具体的には、図１１（Ａ）及び図１１（Ｂ）に示されるように、複数の差込孔２６のうち１つの差込孔２６が、メス継手２１の軸方向に係止突部案内溝３１を延長した帯状領域Ｒ１の全体と重なるように配置されている。本実施形態によれば、複数の係止突部４１を装着溝２５に受容させたときに、１つの係止突部４１が差込孔２６に差し込まれるので、その係止突部４１を基準にして残りの係止突部４１を差込孔２６に差し込み易くなる。
【００５５】
具体的には、図１１（Ａ）に示されるように、差込孔２６は、第２係止爪４３を受容する係止爪装着用溝３０Ｂの係止爪案内溝３１Ｂを延長した帯状領域Ｒ１の全体と重なるように配置されることが好ましい。このように差込孔２６が配置されると、複数の係止突部４１が装着溝２５に受容されたときに、第２係止爪４３が差込孔２６に差し込まれる。そして、複数の中間突部４５を第２係止爪４３に近いものから順番に差し込み、最後に、第１係止爪４２を、第２係止爪４３が差し込まれている差込孔２６に差し込むことで、図１２に示されるように、ロック部材４０が本装着状態となる。
【００５６】
［他の実施形態］
（１）係止突部案内溝３１の溝底面に、迫上部３１Ｓを備えない構成としてもよい。
【００５７】
（２）ロック部材４０の開口４０Ａを大きくして、第１係止爪４２と第２係止爪４３が異なる差込孔２６に差し込まれる構成としてもよい。この場合、上記実施形態よりも差込孔２６の数が１つ多くなる。なお、第１係止爪４２と第２係止爪４３は、共に、ロック部材４０の内方へ直線状に延びる形状とすることが好ましい。
【００５８】
（３）ロック部材４０が、第１係止爪４２と第２係止爪４３を備えない構成であってもよい。このような構成であっても、複数の中間突部４５によってオス継手１１とメス継手２１を接続することができる。なお、ロック部材４０の両端部に、ロック部材４０の外方に向かって突出する突起が設けられてもよい。
【００５９】
（４）第１係止爪４２と第２係止爪４３は、差込孔２６を貫通しない長さに形成されてもよい。この構成では、ロック部材４０が本装着状態となっても、第１係止爪４２と第２係止爪４３がオス継手１１の第２環状溝１３に突入しない。
【００６０】
（５）中間突部４５は、ロック部材４０の内方に向かって半円状に膨出する形状であってもよい。
【符号の説明】
【００６１】
１０    継手
１１    オス継手
１３    第２環状溝
２１    メス継手
２５    装着溝
２６    差込孔
３０    仮装着溝
３１    係止突部案内溝
３２    係止突部受容溝
４０    ロック部材
４１    係止突部
【図１】
2020020419.tif 000003
【図２】
2020020419.tif 000004
【図３】
2020020419.tif 000005
【図４】
2020020419.tif 000006
【図５】
2020020419.tif 000007
【図６】
2020020419.tif 000008
【図７】
2020020419.tif 000009
【図８】
2020020419.tif 000010
【図９】
2020020419.tif 000011
【図１０】
2020020419.tif 000012
【図１１】
2020020419.tif 000013
【図１２】
2020020419.tif 000014